【事件の表示】
　特願２００１−２２７１０３「画像読取装置及びコンピュータ・ソフトウエア」拒絶査定不服審判事件〔平成１５年　２月１４日出願公開、特開２００３−　４６７７３〕について、次のとおり審決する。
【結　論】
　本件審判の請求は、成り立たない。
【理　由】
第１　手続の経緯
　
　本願は、平成１３年７月２７日の出願であって、平成１９年３月１４日付けで拒絶査定がされ、これに対して平成１９年４月１９日に拒絶査定不服審判が請求されるとともに、同年５月１４日付けで手続補正がなされたものである。 
　
第２　平成１９年５月１４日付けの手続補正についての補正の却下の決定
 
［補正の却下の決定の結論］
　平成１９年５月１４日付けの補正を却下する。  
　
［理由］
１．補正後の本願発明
　当該補正書による補正後の特許請求の範囲の請求項１は、次のとおりのものである。（下線部は補正箇所）
　
　【請求項１】　複数の受光素子を有し、該受光素子で光を読み取り電子化の実施によって画像データを得るＣＣＤラインセンサと、該ＣＣＤラインセンサの受光素子間のばらつきに対してシェーディング補正を行うためのデータを、シェーディングデータとして算出する手段とを備えた画像読取装置において、
　前記ＣＣＤラインセンサで白色基準板を読み取ったときのデータが特異なデータであるか画素単位で判定する手段と、画素データが特異であるとされた場合に、特異なデータとされたＣＣＤラインセンサの画素において白色基準板を読み取ることによって得られた他のデータを用いてシェーディング補正値を算出する手段とを備え
、特異なデータと判定されたデータを用いることなく、それ以外の副走査方向における読み取りデータを用いて演算補正する
　　　　　（以下、「本願補正後発明」とする。）
　
　上記補正は、補正前の請求項１に記載した発明を特定するために必要な事項である「シェーディング補正値を算出する手段」について、「
特異なデータと判定されたデータを用いることなく、それ以外の副走査方向における読み取りデータを用いて演算補正する
　そこで、本願補正後発明が特許出願の際独立して特許を受けることができたものであるか（平成１８年改正前特許法第１７条の２第５項において準用する同法第１２６条第５項の規定に適合するか）について以下に検討する。
　
２．引用刊行物の記載 
　
　原査定の拒絶の理由で引用された刊行物３（特開平６−６５８９号公報）には、対応する図面と共に、以下の内容が記載されている。
　
　（ア）　
「　【０００２】
　　【従来の技術】
　電荷結合素子（以下、ＣＣＤと記す。）等のイメージセンサを用いた画像読取装置では、ランプの光量分布の影響やイメージセンサの各画素毎の感度のばらつきの影響を除くために、予め白や黒の濃度基準面を読み取って得られたデータに基づいてイメージセンサの各画素の読取データを補正する、いわゆるシェーディング補正が行われている。
　　【０００３】
　ところで、このような画像読取装置では、イメージセンサの画素自身の異常や、濃度基準面やレンズ上のごみ、傷等の光学系の異常によって、異常データを出力してしまう画素が生じることがある。そこで従来より、濃度基準面の読取データを用いて異常画素の検出を行う技術が知られている。例えば特開昭６２−４０８７４号公報には、基準濃度画像を副走査方向に数ライン読み取り、所定のしきい値と比較し、しきい値を越える信号が所定の数未満であれば異常画素とみなす技術が示されている。　」
　
　（イ）
「　【００７２】
　また、副走査方向の複数の読取データを用いて異常画素のデータを補正しようとした場合には、濃度基準面に付いた副走査方向の筋状の汚れによる異常の場合には補正することが困難になってしまう。これに対し本実施例では、主走査方向の周辺画素の読取データを用いて異常画素のデータを補正するので、副走査方向の筋状の汚れによる異常の場合にも確実に補正することができる。　」
　
　（ウ）
「【要約】
【目的】　濃度基準面の読み取りに際し、異常画素の検出および補正をより正確に行う。
【構成】　濃度基準面をイメージセンサによって複数回読み取り、データライン４０１からの読取データをＣＰＵ（１）基板２０９によって取り込み、各画素について読取データの平均値Ｄｂａと周辺の複数画素のＤｂａの平均値Ｄｌａを算出する。各画素ごとに｜Ｄｌａ−Ｄｂａ｜を２つの基準値と比較して、各画素が正常画素か欠陥画素か濃度基準面のごみ、傷等による異常画素かを判別する。欠陥画素のＤｂａを最低レベルに置き換え、異常画素のＤｂａをＤｌａに置き換える補正を行った後、１ライン分のＤｂａをシェーディングＲＡＭ４０６に書き込み、このデータを用いてシェーディング補正処理部４０７にてシェーディング補正を行う。    」
　
　（エ）　　
「　【請求項７】　原稿を照明する照明手段と、
　少なくとも主走査方向に複数の画素を有し、前記照明手段によって照明された原稿の像を読み取るイメージセンサと、
　所定の濃度を有する濃度基準面と、
　前記イメージセンサによって前記濃度基準面を読み取って得られる各画素ごとの読取データを用いてシェーディング補正を行うシェーディング補正手段と、
　前記イメージセンサによって前記濃度基準面を読み取り、濃度基準面の主走査方向の複数の位置の読取データに基づいて異常画素の検出を行う異常画素検出手段と、
　シェーディング補正に用いる読取データに関して、前記異常画素検出手段によって検出された異常画素の読取データを、異常画素の検出のために用いた読取データを用いて補正する補正手段とを具備することを特徴とする画像読取装置。  」
　
（オ）
「　【００６１】
　次に、図２１ないし図２４を用いて本実施例における異常画素の検出および補正とシェーディング補正に関わる動作について説明する。
　　【００６２】
　図２１は異常画素の検出および補正の動作を示すフローチャートである。明シェーディング補正の場合、まずステップ（以下、Ｓと記す。）５０１で、図５に示すように濃度基準面として基準板３１２の白色面３１４をプラテンガラス３１６上に出し、これをイメージセンサ３０８によって読み取る。次にＳ５０２で、読取画像データライン４０１より入力される濃度基準面の１ライン分の読取データをシェーディングＲＡＭ４０６に書き込む。次にＳ５０３で、ＣＰＵ（１）回路２０９がシェーディングＲＡＭ４０６から１ライン分の読取データを読み込む。次にＳ５０４で、以上の動作がｎ回繰り返されたか否かが判断され、繰り返されていない場合（“Ｎ”）はＳ５０１へ戻り、Ｓ５０１〜５０３の動作がｎ回繰り返されることになる。Ｓ５０４でｎ回繰り返された（“Ｙ”）と判断されると、Ｓ５０５へ進み、ＣＰＵ（１）回路２０９によって以下の処理が行われる。
　　【００６３】
　まずＳ５０５で、各画素のｎ回、例えば２回の読取データの平均値Ｄｂａが算出される。これは図２０の注目画素平均値算出手段４５１の動作に対応する。次にＳ５０６で、注目画素の周辺ｍ画素、例えば注目画素の前後２画素の合計４画素のＤｂａの平均値Ｄｌａが算出される。これは図２０の周辺画素平均値算出手段４５２の動作に対応する。
　　【００６４】
　図２２はＤｂａおよびＤｌａを求める動作を示したもので、同図（ａ）に示すように１回目の読取値メモリエリアには各画素ごとに読取データ（０）、（１）、…、（Ｋ）、…が格納され、（ｂ）に示すように２回目の読取値メモリエリアには各画素ごとに読取データ（０）′、（１）′、…、（Ｋ）′、…が格納され、（ｃ）に示すように注目画素をＫとすると２回の読取データの平均値｛（Ｋ）＋（Ｋ）′｝／２としてＤｂａ（Ｋ）が算出される。さらに（ｄ）に示すように、前後２画素の合計４画素の平均値｛Ｄｂａ（Ｋ−２）＋Ｄｂａ（Ｋ−１）＋Ｄｂａ（Ｋ＋１）＋Ｄｂａ（Ｋ＋２）｝／４としてＤｌａ（Ｋ）が算出される。
　　【００６５】
　次にＳ５０７で、各画素ごとに｜Ｄｌａ−Ｄｂａ｜の演算が行われ、その結果が第１の基準値Ｘ（Ｘは正の値）より小さいか否かが判断される。小さい場合（“Ｙ”）には、Ｓ５０８でその画素は正常画素であると判定され、そのままＤｂａは保存される。一方、Ｓ５０７で｜Ｄｌａ−Ｄｂａ｜が第１の基準値Ｘ以上と判定された場合（“Ｎ”）には、Ｓ５０９で、さらに｜Ｄｌａ−Ｄｂａ｜が第２の基準値Ｙ（Ｙ＞Ｘ）より小さいか否かが判断される。小さい場合（“Ｙ”）には、Ｓ５１０でその画素はイメージセンサ３０８の画素自体の欠陥以外の原因、例えばごみや傷による異常画素と判定され、Ｓ５１１でその画素のＤｂａがＤｌａに変更される。また、Ｓ５０９で｜Ｄｌａ−Ｄｂａ｜が第２の基準値Ｙ以上と判定された場合（“Ｎ”）には、Ｓ５１２でその画素はイメージセンサ３０８の画素自体の欠陥による異常画素（以下、欠陥画素という。）と判定され、Ｓ５１３でその画素のＤｂａが最低レベルである“００ｈ”（１６進数）に変更される。ここで、欠陥画素の読取データを“００ｈ”とするのは、明シェーディング補正後の欠陥画素の出力を高出力とし出力画像上において目立たない白細線とするためである。
　　【００６６】
　上記Ｓ５０７、Ｓ５０８、Ｓ５０９、Ｓ５１０およびＳ５１２が図２０の判定手段４５３の動作に対応し、Ｓ５１１およびＳ５１３が図２０のデータ補正手段４５４の動作に対応する。
　　【００６７】
　このようにして算出された１ライン分のＤｂａは、Ｓ５１４で再びＶＭＥバス１６および制御部２６を通してシェーディングＲＡＭ４０６に書き込まれ、異常画素の検出および補正の動作を終了する。　」
　
　当該（ア）から（オ）及び図面の記載を総合すると、刊行物には、特に（ア）（イ）の記載に関連する従来例としての次の（カ）なる発明と、請求項７に対応する（キ）なる発明の２つの発明が記載されている。
　
（カ）
　複数の電荷結合素子を有し、該電荷結合素子は画像を画素として読み取るものであって、前後にも画素を有するＣＣＤイメージセンサであり、該ＣＣＤイメージセンサラインセンサの感度のばらつきの影響を除くために、予め白や黒の濃度基準面を読み取って得られたデータに基づいてイメージセンサの各画素の読取データを補正する補正シェーディング補正を行うためのデータを、シェーディングデータとして算出する手段とを備えた画像読取装置において、
　前記ＣＣＤラインセンサで濃度基準面板を読み取ったときのデータが異常なデータであるか画素単位で判定し、画素データが異常であるとされた場合に、異常なデータとされたデータについて、濃度基準面の読み取りにおける副走査方向の複数の読取データを用いて異常画素のデータを補正する画像読取装置。
　　　（以下、「引用例第１発明」とする。）
　
（キ）
　複数の電荷結合素子を有し、該電荷結合素子は画像を画素として読み取るものであって、前後にも画素を有するＣＣＤイメージセンサであり、該ＣＣＤイメージセンサラインセンサの感度のばらつきの影響を除くために、予め白や黒の濃度基準面を読み取って得られたデータに基づいてイメージセンサの各画素の読取データを補正する補正シェーディング補正を行うためのデータを、シェーディングデータとして算出する手段とを備えた画像読取装置において、
　前記ＣＣＤラインセンサで濃度基準面板を読み取ったときのデータが異常なデータであるか画素単位で判定し、画素データが異常であるとされた場合に、異常なデータとされたデータについて、濃度基準面の読み取りにおける主走査方向の複数の読取データを用いて異常画素のデータを補正するものであり、
　補正は、異常画素の読取データＤｂａ（Ｋ）に対して、主走査方向の前後２画素の平均値Ｄｌａ（前後２画素の合計４画素の平均値｛Ｄｂａ（Ｋ−２）＋Ｄｂａ（Ｋ−１）＋Ｄｂａ（Ｋ＋１）＋Ｄｂａ（Ｋ＋２）｝／４）を算出し、これに変更することにより補正を行うものである画像読取装置。
　　　（以下、「引用例第２発明」とする。）
　 
３．対比
　
　本願補正後発明と当該引用例第１発明（カ）とを対比する。
　
　引用例発明における電荷結合素子、濃度基準面、異常なデータは、本願補正後発明における受光素子、白色基準板、特異なデータに相当する。
　
　したがって、引用例発明における構成要素を本願補正後発明において用いられている用語に置き換えれば、本願補正後発明と引用例第１発明は以下の点で一致、あるいは相違する。
　
　［一致点］
　
（ク）複数の受光素子を有し、該受光素子で光を読み取り電子化の実施によって画像データを得るＣＣＤラインセンサと、該ＣＣＤラインセンサの受光素子間のばらつきに対してシェーディング補正を行うためのデータを、シェーディングデータとして算出する手段とを備えた画像読取装置において、
　前記ＣＣＤラインセンサで白色基準板を読み取ったときのデータが特異なデータであるか画素単位で判定する手段と、画素データが特異であるとされた場合に、特異なデータとされたＣＣＤラインセンサの画素において白色基準板を読み取ることによって得られた副走査方向における他のデータを用いてシェーディング補正値を算出する手段とを備えて演算補正する画像読取装置。
　
　［相違点］
　
（ケ）本願発明が、シェーディング補正値を算出する補正演算において
、特異なデータと判定されたデータを用いることなく、それ以外の副走査方向における読み取りデータを用いて
　
４．相違点の判断 
　
　当該相違点（ケ）について検討する。
　引用例第２発明において、補正は、異常画素の読取データＤｂａ（Ｋ）に対して、主走査方向の前後２画素の平均値Ｄｌａ（前後２画素の合計４画素の平均値｛Ｄｂａ（Ｋ−２）＋Ｄｂａ（Ｋ−１）＋Ｄｂａ（Ｋ＋１）＋Ｄｂａ（Ｋ＋２）｝／４）を算出し、これに変更することにより補正を行うものである。
　これは特異なデータと判定された値を用いることなく、それ以外の読取データを用いて補正する技術思想である。
　
　してみれば、引用例第１発明においても、補正にあたって、特異なデータと判定された値を用いることなく、それ以外読取データを用いて補正することは当業者であれば容易に想到できることである。
　第１引用例発明も第２引用例発明も、その前提構成において相違するものではないから、引用例第２発明の技術思想を引用例第１発明に適用することに困難性はなく、引用例第１発明は、副走査方向の読取データにより補正を行うものであるから、引用例第２発明の技術思想を引用例第１発明に適用した場合に、それ以外の読取データが副走査方向の読取データとなることは当然のことである。
　　
　したがって、本願補正後発明は、引用刊行物３に記載の発明に基づいて当業者が容易に発明をすることができたものである。 
　よって、本願補正後発明は、特許法第２９条第２項の規定により特許出願の際独立して特許を受けることができたものではない。
　
５．むすび 
　
　したがって、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。  
　
第３　　本願発明について
　
１．本願発明の認定
  
　平成１９年５月１４日付けの手続補正は上記のとおり却下されたので、本願の各請求項に係る発明は、平成１８年１１月１７日付け手続補正書により補正された明細書及び図面の記載からみて、その特許請求の範囲の請求項１から請求項７までに記載した事項により特定されるとおりのものと認められるところ、そのうち、請求項１に係る発明は、下記のとおりである。
　
　【請求項１】　複数の受光素子を有し、該受光素子で光を読み取り電子化の実施によって画像データを得るＣＣＤラインセンサと、該ＣＣＤラインセンサの受光素子間のばらつきに対してシェーディング補正を行うためのデータを、シェーディングデータとして算出する手段とを備えた画像読取装置において、
　前記ＣＣＤラインセンサで白色基準板を読み取ったときのデータが特異なデータであるか画素単位で判定する手段と、画素データが特異であるとされた場合に、特異なデータとされたＣＣＤラインセンサの画素において白色基準板を読み取ることによって得られた他のデータを用いてシェーディング補正値を算出する手段とを備えることを特徴とする画像読取装置。
　
２．引用刊行物に記載の発明
　
　原査定の拒絶理由に引用された刊行物３および、その記載事項は、前記「第２における［理由］の２．」に記載したとおりである。
　
３．対比・判断
　
　本願請求項１に係る発明は、前記「第２における［理由］の１．」で検討した本願補正後発明から、補正手段が「
特異なデータと判定されたデータを用いることなく、それ以外の副走査方向における読み取りデータを用いて
　そうすると、本願請求項１に係る発明の構成要件を全て含み、さらに他の構成要件を付加したものに相当する本願補正後発明が、前記「第２における［理由］の４．」に記載したとおり、引用刊行物の記載に基づいて、当業者が容易に発明をすることができたものであるから、本願請求項１に係る発明も、同様の理由により、引用刊行物の記載に基づいて、当業者が容易に発明をすることができたものである。
　
４．むすび
　
　以上のとおり、本願請求項１に係る発明は、引用刊行物３に記載された発明に基づいて、当業者が容易に発明をすることができたものであるから、特許法第２９条第２項の規定により特許を受けることができない。
　したがって、残る請求項２から請求項７に係る各発明について特に検討するまでもなく、本願は拒絶をすべきものである。 
　
第４　まとめ
　
　審判請求の理由について審理した結果は上記のとおりであり、拒絶査定を取り消す理由は存在しないから、結論のとおり審決する。